(57)【要約】【目的】履歴表示が簡単に理解できるようにした受信機を安価に提供する。【解決手段】受信機１は、感知器回線２の発報情報を時系列的に記憶する記憶部１５と、履歴表示モードが起動されると、複数の発報ランプ１１ａのいずれかを、記憶部１４に発報情報を記憶させた順序、またはその逆順序で点灯させることによって、感知器回線２の発報履歴を通知する表示制御部１５とを備える。【選択図】図１
2013186566.tif 000002
【特許請求の範囲】
【請求項１】
感知器回線のそれぞれに対応させて複数の発報ランプを備え、火災時には、発報した感知器回線に対応した発報ランプが点灯する受信機において、
感知器回線の発報情報を時系列的に記憶する記憶部と、
所定の操作を受け付けると履歴表示モードが起動して、前記複数の発報ランプのいずれかを、前記記憶部に発報情報を記憶させた順序、またはその逆順序で点灯させることによって、感知器回線の発報履歴を通知する表示制御部とを備えた、受信機。
【請求項２】
請求項１に記載の受信機において、
発信機に対応した発報ランプを更に備え、
前記表示制御部は、前記発信機の発報を含めて発報履歴を通知することを特徴とした、受信機。
【請求項３】
請求項１または２に記載の受信機において、
前記表示制御部は、感知器回線の発報履歴を、表示切換操作を受ける毎に、現在から過去に遡る順序で１ステップずつ通知する、受信機。
【請求項４】
請求項１〜３のいずれかに記載の受信機を用いた自動火災報知システム。
【発明の詳細な説明】
【技術分野】
【０００１】
本発明は、感知器回線のそれぞれに対応させて複数の発報ランプを備え、火災時には、発報した感知器回線に対応した発報ランプが点灯する受信機の改良に関する。
【背景技術】
【０００２】
上記のような受信機を用いた自動火災報知システムでは、感知器等の保守やメンテナンスのため、発報あるいは操作の履歴を確認したいという要望がある。従来、そのような履歴は７セグメントＬＥＤ等によってコード表示させたり、紙に印字出力させていた。また受信機における履歴表示に関して、次の特許文献は、受信機に履歴情報を蓄積させ、外部に接続したパーソナルコンピュータによってその情報を読み出すことの記載がある。
【先行技術文献】
【特許文献】
【０００３】
【特許文献１】特開2001-143172号公報
【発明の概要】
【発明が解決しようとする課題】
【０００４】
しかしながら、上記のように履歴をコード化して表示する構成では、その意味が直感的に分かりにくいという問題があった。また表示部に７セグメントＬＥＤを設けたり、外部にパーソナルコンピュータを接続させる構成とすると、その分コストも高くなる。そこで本発明は、履歴表示が簡単に理解できるようにした受信機を安価に提供することを目的とする。
【課題を解決するための手段】
【０００５】
本発明は、感知器回線のそれぞれに対応させて複数の発報ランプを備え、火災時には、発報した感知器回線に対応した発報ランプが点灯する受信機において、感知器回線の発報情報を時系列的に記憶する記憶部と、所定の操作を受け付けると履歴表示モードが起動して、前記複数の発報ランプのいずれかを、前記記憶部に発報情報を記憶させた順序、またはその逆順序で点灯させることによって、感知器回線の発報履歴を通知する表示制御部とを備える。
【０００６】
受信機は、発信機に対応した発報ランプを更に備え、前記表示制御部は、前記発信機の発報を含めて発報履歴を通知してもよい。
【０００７】
前記表示制御部は、感知器回線の発報履歴を、表示切換操作を受ける毎に、現在から過去に遡る順序で１ステップずつ通知してもよい。
【０００８】
また本発明は、自動火災報知システムにおいて前記受信機を用いることを特徴とする。
【発明の効果】
【０００９】
本発明は、感知器回線の発報情報を時系列的に記憶し、履歴表示モードでは、発報ランプのいずれかを逐次選択して点灯させることによって、発報履歴を通知する構成としているので、その表示を見るだけで発報履歴が容易に理解できる。また発報履歴の通知のために７セグメントＬＥＤや液晶パネル等は必要とされないので、履歴表示機能を有した受信機を安価に提供できる。
【図面の簡単な説明】
【００１０】
【図１】本発明による受信機の構成を説明するシステム図である。
【図２】表示部による表示の例である。
【図３】記憶部に準備されたスロットを示す図である。
【図４】感知器の基本的構成図である。
【図５】発信機の基本的構成図である。
【図６】発報履歴の記憶手順の一例を示すフローチャートである。
【図７】発報履歴の通知手順の一例を示すフローチャートである。
【図８】発報順序を示す図である。
【図９】（ａ）〜（ｃ）は発報履歴の表示順序を説明する図である。
【発明を実施するための形態】
【００１１】
図１に示すように、本発明に係る自動火災報知システムは、複数の感知器回線２および音響回線が受信機１より導出されている。
【００１２】
本発明は低コスト型のＰ型受信機を想定している。そのため図１は、受信機１の基本構成として、監視状態を示す表示部１１、管理者の操作を受け付ける操作部１２、所定のメッセージを出力する音響部１３、各種情報を記憶する記憶部１４、これらを制御する制御部１５等を示している。
【００１３】
表示部１１は、図２に具体的に示すように、感知器回線２のそれぞれに対応した複数の発報ランプ１１ａが連接され、更に、発信機２２に対応した発報ランプ１１ａや代表ランプ１１ｂも設けられている。発報ランプ１１ａの近傍には地区名が記載されている。なお表示部１１は、コストを抑えるため、液晶パネルや７セグメントＬＥＤは設けられていない。なお図の例では、火災検知によって一部の発報ランプ１１ａおよび代表ランプ１１ｂが点灯された状態になっている。
【００１４】
操作部１２は、特に図示しないが、警報停止ボタン、火災確定ボタン、復旧ボタン等によって構成されている。
【００１５】
音響部１３は、特に図示しないが、音声回路やスピーカ等で構成され、所定のメッセージを発する。
【００１６】
記憶部１４は、例えばＳＲＡＭ等のメモリで構成され、自由に書換えできる。本発明では、記憶部１４に感知器回線２の発報情報を時系列的に記憶させる。
そのため、例えば図３に示すように、感知器回線２あるいは発信機２２の発信情報を記憶させるための所定数（Ｍ）のスロットを準備しておくとよい。このスロットの配列順位が時系列として利用される。
【００１７】
制御部１５は、監視中、感知器回線２に直流電源を供給しながら、その発報（電圧低下）を監視する。そして火災時には、発報ランプ１１ａや代表ランプ１１ｂを点灯させるとともに、音響回線３に直流電源を供給して、音響装置３１を鳴動させる。
【００１８】
感知器回線２はいずれも、煙感知器、熱感知器、炎感知器等の各種感知器２１や、発信機２２が渡り配線され、終端抵抗器Ｒによって終端されている。感知器２１の個数は特に制限されない。感知器回線２のそれぞれに接続された発信機２２は、感知器回線２とは異なる発信機信号線４によって渡り配線されて受信機１に接続されている。
【００１９】
感知器２１は、図４に示すように、監視すべき火災要因に対応した感知部２１ａと、感知器回線２を短絡させる電気スイッチＳＷとを備える。感知部２１ａは、感知器回線２より供給された電源によって作動し、火災要因の検知結果に基づいて、火災時には電気スイッチＳＷをオン制御する。電気スイッチＳＷには、抵抗器ｒが直列接続されていてもよい。
【００２０】
発信機２２は、図５に示すように、火災に気付いた人によって操作される操作部（ボタン）２２ａと、感知器回線２を短絡させる電気スイッチＳＷと、発信機信号線４を短絡させる電気スイッチＳＷとを備える。操作部２２ａは、２つの電気スイッチＳＷをオン制御する。
【００２１】
音響回線３は、複数の音響装置３１が渡り配線されている。音響装置３１は、例えばベルやブザーであって、音響回線３を通じて電源が供給されている間のみ鳴動する。
【００２２】
次いで受信機１の基本動作を説明する。受信機１は、感知器回線２、および発信機信号線４を回線単位で監視する。そのため同一の感知器回線２に接続された複数の感知器２１は区別できない。また同一の感知器回線２に接続された感知器２１と発信機２２も区別できないが、発信機信号線４が設けられているので、発信機２２の発報は感知器回線２によらずに検知できる。
【００２３】
受信機１は、ある感知器回線２の発報を検知すると、その感知器回線２に対して蓄積動作を行う。これは非火災報を防止するための動作であり、所定時間の間、復旧後の再発報が繰り返し確認される。蓄積動作中は代表ランプ１１ｂが点滅し、音響部１３より「感知器が作動しました」というようなメッセージが発せられる。またその感知器回線２の発報ランプ１１ａも点滅する。
【００２４】
蓄積動作によって所定回数以上の再発報が確認された場合は、火災が判定されて警報が開始される。ここで火災と判定されなかった場合でも、その後所定時間が経過するまでに同一の感知器回線２の発報（２回目発報）が検知されれば、その時点で火災が判定される。また、蓄積動作中あるいは蓄積動作の終わりから所定時間が経過するまでに別の感知器回線２の発報が検知されれば、その時点で、その２つの感知器回線２について火災が判定される。なお発信機信号線４に対する蓄積動作はなく、直ちに火災が判定される。
【００２５】
火災が判定されると、発報ランプ１１ａおよび代表ランプ１１ｂが点灯状態になり、音響部１３より「火災です。火災です」というようなメッセージが発せられる。また音響回線３に電源が供給されて音響装置３１が鳴動する。
【００２６】
このあと操作部１２で警報停止操作がなされると、受信機１は、音響部１３よりのメッセージと、音響装置３１の鳴動とを所定時間停止させる。この停止中に操作部１２で火災確定操作がなされると、音響部１３のメッセージおよび音響装置３１の鳴動とが直ちに再開される。
【００２７】
操作部１２で復旧操作がなされると、受信機１は全ての感知器回線２を復旧させる。復旧は、感知器回線２への電源を遮断して感知器２１等をリセットすればよい。ただしその時点までに消火処置や発信機２２の回復処置が完了していないと、火災が再び検知されるので注意が必要である。
【００２８】
本発明では、上記の基本動作に加えて、発報履歴の記録、表示が可能なので、これについて説明する。
【００２９】
受信機１は、監視中であっても警報中であっても、感知器回線２の発報を検知する毎に、その回線の発報情報（識別情報）を記憶部１４に順番に記録する。そして操作部１２の操作によって履歴表示モードが起動されると、発報ランプ１１ａのいずれかを、記憶部１４の記憶内容に基づいて逐次選択して点灯させる。すなわち制御部１５は、履歴表示モードでは、発報ランプ１１ａのいずれか１つが点灯した回線特定表示をし、そこで表示切換操作を受け付けると、記憶部１４に発報情報を記憶させた順序、またはその逆順序で、発報ランプ１１ａを切換点灯させる。これにより、発報履歴が１ステップずつ通知される。なお発報履歴の記録、表示の対象には、発信機２２の発報も含まれる。
【００３０】
なお発報履歴は、直近に発報した感知器回線２を最初に通知し、表示切換操作毎に、１ステップずつその前に発報した感知器回線２を通知する構成とすれば、表示の起点が常に現在となるので、理解が容易になる。
【００３１】
また点灯させる発報ランプ１１ａを切り換える際には、発報ランプ１１ａを一旦全消灯させる等によって、ステップの区切りを示せば、同一の感知器回線２が連続して発報していた場合でも、そのことが直ちに理解できる。
【００３２】
図６のフローチャートは、発報情報の記録手順の一例を示している。記憶部１４には、１〜Ｍ番目のスロットが準備されており、最大Ｍステップの発報履歴が記録できる。またｎはスロットのいずれかを示すポインタである。
【００３３】
ステップ１００は、感知器回線２および発信機２２の発報を監視する処理である。発報がなければこの処理が繰り返される。
【００３４】
ステップ１０１、１０２は、発報した感知器回線２または発信機２２を特定して、その感知器回線２または発信機２２の発報情報を記録する処理である。このとき発報情報は、その時点でポインタｎが指定しているスロット、つまりｎ番目のスロットに書き込まれる。
【００３５】
ステップ１０３〜１０５は、ポインタｎの更新処理である。まずポインタｎの値がＭと一致しているか否かを判断し、一致していればポインタｎの値を「１」に戻す。一致していなければ、ポインタｎの値をプラス１する。その結果、感知器回線２や発信機２２の発報情報は昇順で各スロットに書き込まれ、Ｍ番目スロットまで進むと、最初のスロットに戻って書き込まれる。
【００３６】
図７のフローチャートは、発報履歴の通知手順の例を示している。ここで、ポインタｎは、次の発報情報が書き込まれるべきスロット（最も古い発報情報を保持している）を示していると想定している。ｍはスロットのいずれかを示す第２のポインタである。
【００３７】
ステップ２００では、ポインタｎの値をポインタｍにコピーする処理である。
【００３８】
ステップ２０１〜２０３は、ポインタｍの更新処理である。まずポインタｍの値が「１」であるか否かを判断し、「１」であればポインタｍの値をＭにする。「１」でなければ、ポインタｍの値をマイナス１する。
【００３９】
ステップ２０４、２０５は、ｍ番目のスロットから発報情報を読み出して、その情報によって特定される感知器回線２または発信機２２を、発報ランプ１１ａの点灯によって通知する処理である。
ステップ２０６は、表示切換操作を待機する処理である。ここで終了操作があれば手順を途中終了させてもよい。
【００４０】
ステップ２０７〜２０９は、Ｍステップの発報履歴全てを表示したか否かを判断する処理である。ここでポインタｍの値がポインタｎの値に等しければ、Ｍステップの全てが表示済みである。その場合、ステップ２０８で発報ランプ１１ａを全点灯させることで表示終了を通知してから手順を終了させる。一方ポインタｍの値がポインタｎの値に等しくないならば、ステップ２０９で発報ランプ１１ａの全てを消灯させることでステップの区切りを示してから、ステップ２０１に戻る。このような手順により、Ｍステップの発報履歴をｎ−１番目スロットから降順で全て表示することができる。
【００４１】
次いで発報履歴の通知の具体例を説明する。
ここに自動火災報知システムは、５階建ての建造物を監視対象として、各階をそれぞれ１系統の感知器回線２で監視すると想定する。すなわち、感知器回線２＃１は１階共用部、感知器回線２＃２は２階、感知器回線２＃３は３階、感知器回線２＃４は４Ｆ、感知器回線２＃５は５Ｆに敷設されている。
【００４２】
図８は感知器回線２の発報順序を示している。時刻Ｔ１には感知器回線２＃２が発報し、時刻Ｔ２には感知器回線２＃１が発報している。そして時刻Ｔ３には発信機２２が発報している。
【００４３】
時刻Ｔ３以降、たとえば時刻Ｔ４において、表示部１１は図２のような代表ランプ１１ｂ、発報ランプ１１ａの点灯状態になっている。すなわち代表ランプ１１ｂが点灯して火災発生を報知するとともに、感知器回線２＃１、２＃２の発報ランプ１１ａが点灯して、それぞれ１Ｆ共用部、２Ｆで火災検知していることを示している。
【００４４】
その後、いずれの感知器回線２、発信機２２も発報していない状態で発報履歴を行った場合、その表示は図９に示すようになる。すなわち履歴表示モードでは最初に、発信機２の回線特定表示（ａ）となる。ここで表示切換操作がなされると、感知器回線２＃１の回線特定表示（ｂ）に切り換わる。そして更に表示切換操作がなされると、感知器回線２＃２の回線特定表示（ｃ）に切り換わる。
【００４５】
このように本発明は、感知器回線の発報履歴を発報ランプの点灯によって1ステップずつ表示する構成としているので、操作が簡単であり、理解も容易である。履歴表示のための７セグメントＬＥＤや液晶パネル等は必要とされないので、履歴表示機能を有した受信機を安価に提供できる。
【符号の説明】
【００４６】
１      受信機
１１ａ  発報ランプ
１４    記憶部
１５    制御部
２      感知器回線
２１    感知器
３１    発信機
【図１】
2013186566.tif 000003
【図２】
2013186566.tif 000004
【図３】
2013186566.tif 000005
【図４】
2013186566.tif 000006
【図５】
2013186566.tif 000007
【図６】
2013186566.tif 000008
【図７】
2013186566.tif 000009
【図８】
2013186566.tif 000010
【図９】
2013186566.tif 000011